(57)【要約】      （修正有）【課題】ハトメ・スナップにおける雄部材の頭部金具を合成樹脂被覆層で被覆して外観を美しくし、装飾性、美感性を高めて衣服などの色彩および柄模様にマッチした色使いが可能となり、ファッション性に優れると共に、耐久性にも富んだハトメ・スナップにおける雄部材の頭部を提供する。【解決手段】中空円筒体４の頂部に鍔部５を設けた雄部材と、その中空円筒体４が挿入可能な孔を有するリング状の雌部材３とからなるハトメ金具である。鍔部５の外周面をインサート成形手段により合成樹脂被覆層７で被覆する。【選択図】図６
0003135277.tif 000002
【実用新案登録請求の範囲】
【請求項１】
中空円筒体の頂部に鍔部を設けた雄部材と、その中空円筒体が挿入可能な孔を有するリング状の雌部材とからなるハトメ金具であって、鍔部外周面をインサート成形手段により合成樹脂被覆層で被覆したことを特徴とするハトメにおける雄部材の頭部。
【請求項２】
鍔部の下面側の合成樹脂被覆層に段部を設け、内側を薄肉部に外側を厚肉部に形成したことを特徴とする請求項１に記載のハトメにおける雄部材の頭部。
【請求項３】
表生地の表面に配するかしめ用の脚体を持つ表リングと、表生地の裏面に配して前記かしめ用の脚体とで結着する雄型嵌合体を有する雄スナップと、裏生地の裏面に配するかしめ用の脚体を持つ裏リングと、裏生地の表面に配して前記雄型嵌合体と嵌脱自在の雌型嵌合体を有する雌スナップとからなるスナップ金具であって、表リングの外周面をインサート成形手段により合成樹脂被覆層で被覆したことを特徴とするスナップにおける雄部材の頭部。
【考案の詳細な説明】
【技術分野】
【０００１】
本考案は、主として衣服、ベルト、帽子、かばん、靴などに取り付けられるハトメ・スナップに関し、さらに詳しくは、衣服などのデザインのアクセントとして用いられるハトメにおける雄部材の頭部あるいは衣服の開口部の係止時に用いられるスナップにおける雄部材の頭部に関するものである。
【背景技術】
【０００２】
従来、ハトメは中空円筒体の頂部に一体に連設された鍔部からなる雄部材と、この中空円筒体が挿入するリング状の雌部材とから構成されており、アルミニウムや真鍮などの金属製のものが用いられている。この金属製ハトメは、金属の塑性変形の特性を利用して、取り付け生地にハトメ打機などにより打設して装着される。具体的には、雄部材の中空円筒体を生地に設けた孔に挿通し、この中空円筒体にリング状の雌部材を嵌入した後にハトメ打機などにより、雄・雌部材を加圧して雌部材から突出した雄部材の中空円筒体の先端部を折り返してかしめている。（例えば、特許文献１、２、３）。
【０００３】
【特許文献１】登録実用新案第３０２９５４１号公報
【特許文献２】登録実用新案第３１０４５５３号公報
【特許文献３】特開２００５−２７０５７３号公報
【考案の開示】
【考案が解決しようとする課題】
【０００４】
しかしながら、上記のハトメは、金属製であることから、耐強度製に優れて安価であると共に、成形性も良好であるが、色彩が金属素材または鍍金素材の金属色の範囲に止まり、取り付け生地の色彩とマッチしにくいばかりでなく、色使いが限定され、色彩上の豊富なデザイン展開ができないといった服飾上の大きな支障があると共に、装飾性、美感性、ファッション性に優れなかった。また、衣服などに装着する時には、アクセントとして目立つように取り付ける場合があるが、そのような場合においても、ハトメと取り付け生地とのコントラストを良くする程度に止まり、装飾性、美感性、ファッション性を高めることができないといった問題点があった。
【０００５】
そのため、例えば、ハトメの色彩と取り付け生地の色彩とがマッチするように、鍔部の外面に着色塗料を塗布して装飾を施すことが行われているが、着色塗料を塗布したものは、ハトメ打機で加圧した時に塗料が剥れ落ちることがあり、また、生地に取り付けた後においても、他物との接触によって塗料が剥がれ落ちて外観不体裁になるということがあった。
【０００６】
本考案は上記の課題に鑑みてなされたもので、ハトメ・スナップにおける雄部材の頭部金具を合成樹脂被覆層で被覆して外観を美しくし、装飾性、美感性を高めて衣服などの色彩および柄模様にマッチした色使いが可能となり、ファッション性に優れると共に、耐久性にも富んだハトメ・スナップにおける雄部材の頭部を提供することを目的とするものである。
【課題を解決するための手段】
【０００７】
上記の課題を解決し、その目的を達成する手段として、本考案は、中空円筒体の頂部に鍔部を設けた雄部材と、その中空円筒体が挿入可能な孔を有するリング状の雌部材とからなるハトメ金具であって、鍔部外周面をインサート成形手段により合成樹脂被覆層で被覆したことを特徴とするハトメにおける雄部材の頭部を開発し、採用した。
【０００８】
また、上記のハトメにおける雄部材の頭部において、鍔部の下面側の合成樹脂被覆層に段部を設け、内側を薄肉部に外側を厚肉部に形成したことを特徴とする請求項１に記載のハトメにおける雄部材の頭部を開発し、採用した。
【０００９】
また、本考案は、表生地の表面に配するかしめ用の脚体を持つ表リングと、表生地の裏面に配して前記かしめ用の脚体とで結着する雄型嵌合体を有する雄スナップと、裏生地の裏面に配するかしめ用の脚体を持つ裏リングと、裏生地の表面に配して前記雄型嵌合体と嵌脱自在の雌型嵌合体を有する雌スナップとからなるスナップ金具であって、表リングの外周面をインサート成形手段により合成樹脂被覆層で被覆したことを特徴とするスナップにおける雄部材の頭部を開発し、採用した。
【考案の効果】
【００１０】
本考案は、ハトメ・スナップにおける雄部材の頭部金具をインサート成形手段により合成樹脂被覆層で被覆したから、従来のような限られた金属色に止まらず衣服の色や柄模様にマッチした種々の色使いが可能となり、ハトメ・スナップの頭部に関して色彩上の豊富なカラーが可能であり、ハトメ・スナップとしての装飾的価値を容易に向上し得る。
【００１１】
また、ハトメ・スナップにおける雄部材の頭部金具は合成樹脂被覆層で被覆されているから、金具による肌触り感の悪化が解消されるばかりでなく耐久性に富む。さらに、合成樹脂被覆層で立体的になっているから、よく目立ち衣服などのデザインのアクセントとして有効に利用できる。
【００１２】
また、ハトメは、鍔部の下面側の合成樹脂被覆層に段部を設け、内側を薄肉部に外側を厚肉部に形成したから、雌部材の環状突出部と生地がその段差に納まり突出することがなく、雄部材と雌部材のかしめが確実で強固になる。
【考案を実施するための最良の形態】
【００１３】
以下に、本考案の第１実施形態を添付図面の図１〜図６のハトメ金具の例で説明する。
このハトメ１は、雄部材２と雌部材３とで形成されている。雄部材２は、金属製の中空円筒体４の頂部に一体的に連設する鍔部５を設けてあり、中空円筒体４の先端部６をかしめるようになっている。
【００１４】
７は鍔部４の外周面をポリアミド樹脂で被覆した被覆層であり、鍔部５の下面被覆層には段部８を形成して内側を薄肉部７ａにし、外側を厚肉部７ｂにしてあり、厚肉部７ｂの周面に突き刺し片９………９を設けてある。この被覆層７はインサート成形手段により鍔部５と一体に成形したものである。すなわち、金型内に雄部材２を装填した後、樹脂を注入して鍔部５を溶融樹脂で包んで固化させ、一体化したものである。樹脂としては耐衝撃性、曲げ弾性率が大きい熱可塑性樹脂が好ましく、具体的には染色性が良好なポリアミド樹脂が適しているが、他の樹脂でも良いのはもちろんのことである。
【００１５】
一方、雌部材３は、金属製薄板のリング状のもので、雄部材２の中空円筒体４が挿通できる孔１０を有する環状周壁面１１と、生地Ａに喰いこむ環状突出部１２と、生地Ａに当接する環状平面部１３と、下面側に突出する補強用の環状隆起部１４とで形成されている。１５は環状突出部１２の所定間隔毎に周面に突設した突刺し片である。
【００１６】
このように構成したハトメ１を生地Ａに取り付けるには、図４に示すように、鍔部５が合成樹脂被覆層７で被覆された雄部材２の中空円筒体４の先端部６が尖鋭状になっていて生地Ａに突き刺して孔をあけるか、あるいは予め孔が穿設された生地Ａの片面から中空円筒体４を挿通し、雌部材３の環状周壁面１１の孔１０に挿通して、先端部６を加圧すると雌部材３の環状周壁面１１の外面が折り曲げ片の内面に嵌入してかしめられ結着するものである。
【００１７】
生地Ａに取り付けられたハトメ１は、雄部材２の鍔部５の下面の突き刺し片９………９および雌部材３の環状突出部１２に設けた突き刺し片１５により、しっかり生地Ａに止着されると共に、生地Ａの色彩とマッチする色の合成樹脂被覆層７で被覆された雄部材２の頭部を用いることにより、装飾性、美感性、ファッション性に優れると共に、合成樹脂被覆層７で立体的になっているから、従来のハトメと比べてよく目立ち衣服などのデザインのアクセントとして有効に使用できる。
【００１８】
つぎに、図７〜図１３に示すのは本考案の第２実施形態を示すスナップ金具２１の例であり、表生地Ａに固定される雄スナップ２２と、裏生地Ａ’側に固定される雌スナップ２３とから構成されている。雄スナップ２２は、表生地Ａの表面側に配置される表リング２４と、裏側に配置される雄座板２５とからなっている。
【００１９】
前記の表リング２４および雄座板２５はいずれも金属製であり、外径が略同じ大きさに仕上げられている。そして、表リング２４の裏面側には所定間隔毎に下面に向かって突出する５本のかしめ用脚体２６が一体に突設されている。また、雄座板２５の裏面中心部には雄型嵌合体２７が一体的に突設されていると共に、かしめ用脚体２６の先端部が挿入する周溝２８を表面側に設けてある。
【００２０】
２９は表リング２４の外周面をポリアミド樹脂で被覆した被覆層であり、表リング２４の下面樹脂被覆層２９には段部３０を形成して内周側を薄肉部２９ａとし、外周側を厚肉部２９ｂにしてある。この被覆層２９は前記ハトメ１と同様に、インサート成形手段により表リング２４と一体に成形したものであり、金型内に表リング２４を装填した後、樹脂を注入して表リング２４を溶融樹脂で包んで固化させ、一体化したものである。樹脂としては耐衝撃性、曲げ弾性率が大きい熱可塑性樹脂が好ましく、染色性が良好なポリアミド樹脂が適しているが、その他の樹脂でもよい。
【００２１】
前記雌スナップ２３は、裏生地Ａ’側の裏面に固定される裏リング３１と、表側に配置される雌座板３２とからなっている。裏リング３１の表面側には所定間隔毎に上方に向かって突出する５本のかしめ用脚体３３が一体に突設されている。また、雌座板３２の中心には、前記雄型嵌合体２７が嵌脱自在となる雌型嵌合体３４が形成されていると共に、かしめ用脚体３３の先端部が挿入する周溝３５を裏面側に設けてある。
【００２２】
このように構成した雄スナップ２２と雌スナップ２３を表生地Ａと裏生地Ａ’に取り付けるには、図１１、図１２に示すように、合成樹脂被覆層２９で被覆した表リング２４を表生地Ａの表側に配し、かしめ用脚体２６の先端部を生地Ａに刺し通し、雄座板２５の周溝２８に挿入して圧着すればかしめられて一体的に結着される。
【００２３】
一方、裏生地Ａ’の裏側に配する裏リング３１のかしめ用脚体３３の先端部を生地Ａ’に刺し通し、雌座板３２の周溝３５に挿入して圧着すればかしめられて一体的に結着する。そして、雄座板２５の雄型嵌合体２７を雌座板３２の雌型嵌合体３４に嵌脱自在とすることにより開閉自在になるものである。
【００２４】
このように構成されたスナップ金具２１は、衣服の開閉部などに雄スナップ２２を表生地Ａに、雌スナップ２３を裏生地Ａ’に取り付ける。そして、表リング２４の外周面が合成樹脂被覆層２９で被覆されているから、装飾性に富むと共に、表生地Ａの色彩にマッチする配色の色を用いることができると共に、合成樹脂被覆層２９によりスナップが立体的になり目立つと共に、その部分がアクセントとなりファッション性と装飾性に富むものである。
【００２５】
以上、本考案の実施の形態の例について説明したが、本考案はこれらの実施の形態に限定されるものではなく、例えば、頭部の形状は、楕円、長円、方形、ハート形など各種の形状のものを用いることもあり、本考案の目的を達成でき、かつ考案の要旨を逸脱しない範囲で種々の設計変更が可能であるのは勿論のことである。
【産業上の利用可能性】
【００２６】
本考案は、衣服だけに限らず、ベルト、かばん、靴、帽子などの身の回り品などに取り付けられるハトメ・スナップとして使用できファッション性、装飾性、美観性に優れたものになる。
【図面の簡単な説明】
【００２７】
【図１】本考案の第１実施形態のハトメを構成する雄部材と雌部材の断面図である。
【図２】鍔部が合成樹脂被覆層で被覆された雄部材の断面図である。
【図３】図２の底面図である。
【図４】雄部材と雌部材が生地を挟んで対向した状態の断面図である。
【図５】雄部材の中空円筒体が生地に突き刺した状態の断面図である。
【図６】雄部材と雌部材が結着した状態の拡大断面図である。
【図７】本考案の第２実施形態の表リングの平面図である。
【図８】図７の底面図である。
【図９】図８のＢ−Ｂ線の断面図である。
【図１０】表リングが合成樹脂被覆層で被覆された状態の断面図である。
【図１１】結合前の雄スナップと雌スナップが表生地と裏生地を挟んで対向した状態の断面図である。
【図１２】雄スナップと雌スナップが表生地と裏生地に取り付けた状態の断面図である。
【図１３】雄スナップと雌スナップが結着した状態の拡大断面図である。
【符号の説明】
【００２８】
１    ハトメ    
２    雄部材  
３    雌部材
４    中空円筒体  
５    鍔部
７    合成樹脂被覆層
７ａ  薄肉部  
７ｂ  厚肉部
８    段部
１０  孔
２１  スナップ
２２  雄スナップ
２３  雌スナップ
２４  表リング
２６  かしめ用脚体
２７  雄型嵌合体
２９  合成樹脂被覆層
３１  裏リング
３３  かしめ用脚体
３４  雌型嵌合体
Ａ    表生地
Ａ’  裏生地
【図１】
0003135277.tif 000003
【図２】
0003135277.tif 000004
【図３】
0003135277.tif 000005
【図４】
0003135277.tif 000006
【図５】
0003135277.tif 000007
【図６】
0003135277.tif 000008
【図７】
0003135277.tif 000009
【図８】
0003135277.tif 000010
【図９】
0003135277.tif 000011
【図１０】
0003135277.tif 000012
【図１１】
0003135277.tif 000013
【図１２】
0003135277.tif 000014
【図１３】
0003135277.tif 000015